(57)【要約】【課題】本発明は、打撃エネルギーがボールの変形エネルギーとして消費されることを抑制でき且つ特に軽量の野球用又はソフトボール用バットを提供し、さらに、製造が容易でコストの低廉な野球用又はソフトボール用バットを提供する。【解決手段】ＦＲＰから成る第一の管と、前記第一の管の打球部の外径より大きな内径を有する少なくとも２以上の層から成る多層の円筒形の第二の管と、前記第二の管を前記第一の管の外周に係止する第一及び第二固定部材とを有し、前記第一の管は、前記打球部側から前記先端部側に向かって拡開されて前記第二の管の内径より大きな外径を有するストッパ部と溝状の係止窪みとを有し、前記第二の管は前記打球部の外周に装着されて、一端が前記第一固定部材に固定され他端が前記第二固定部材に固定されて前記第一の管との間に隙間を形成し、第二固定部材は前記凸部が前記係止窪みに嵌合して前記第一の管に固定される。【選択図】図１
2010119462.tif 000002
【特許請求の範囲】
【請求項１】
グリップ部、テーパー部、打球部及び先端部を有するＦＲＰから成る第一の管と、
両端が開口し、前記第一の管の打球部の外径より大きい内径を有し、少なくとも２以上の層から成る多層の円筒形の第二の管と、
本体部及び前記本体部の外径より大きい外径を有するフランジ部を有し、前記打球部の外径より大きい開口を有するドーナツ状の第一固定部材と、
基部、前記基部の最大外径より小さい外径を有する挿入部及び内側に向かって突出形成された凸部を有し、前記打球部の外径より大きい開口を有するドーナツ状の第二固定部材と、を備え、
前記第一の管は、前記打球部側から前記先端部側に向かって拡開されて前記第二の管の内径より大きな外径を有するストッパ部及び前記第一の管を縮径して形成された溝状の係止窪みを有し、
前記第一固定部材は前記第一の管の外周に装着されて、前記本体部の内周面が前記第一の管に固定され且つ前記フランジ部の一面が前記ストッパ部に固定され、
前記第二の管は前記第一の管の外周に装着されて、一端が前記本体部の外周面に固定され、
前記第二固定部材は前記第一の管の外周に装着されて、前記挿入部が前記第一の管と前記第二の管の他端との間に挿入されて前記第一の管と前記第二の管との間に隙間を形成するように固定され且つ前記凸部が前記係止窪みに嵌合して固定されることを特徴とする野球用又はソフトボール用バット。
【請求項２】
前記第二の管は、金属又はＦＲＰから成る内層と、前記内層の外周に装着される金属、ＦＲＰ又は木材のいずれかから成る少なくとも一つ以上の外層とを含んで一体形成されることを特徴とする請求項１に記載の野球用又はソフトボール用バット。
【請求項３】
前記第二の管の外層は、金属から成る第１の部分と、前記金属と異なる金属、ＦＲＰ又は木材のいずれかから成る１以上の第２の部分の組合せから成り、前記複数の部分の少なくとも１つは他の部分と異なる材質で形成されることを特徴とする請求項２に記載の野球用又はソフトボール用バット。
【請求項４】
前記バットは、キャップ先端部、窪部及び固定部を有するキャップをさらに有し、
前記先端部は、端部が内側に向かって湾曲されたカール部を備え、
前記固定部の外径は前記カール部から前記ストッパ部までの前記第一の管の内径より小さく、且つ前記窪部の外径は前記カール部の内径より小さく、
前記窪部は前記カール部によって係止されることを特徴とする請求項２に記載の野球用又はソフトボール用バット。
【請求項５】
前記先端部は、端部が内側に向かって湾曲されて閉じられることを特徴とする請求項２に記載の野球用又はソフトボール用バット。
【請求項６】
前記第一の管は、前記ストッパ部の外径より小さく且つ前記打球部の外径より大きい外径を有するステップ部を更に有し、
前記第二の管は前記第一の管の打球部の外周に装着されて、一端が前記ステップ部に固定され、他端が前記第一の管と前記第二の管との間に挿入された前記挿入部に固定されて、前記第一の管との間に隙間を形成することを特徴とする請求項２に記載の野球用又はソフトボール用バット。
【請求項７】
前記第一の管は、グリップ部、テーパー部、打球部、先端部及び前記打球部側から前記先端部側に向かって拡開されて前記第二の管の内径より大きな外径を有するストッパ部のみを有し、
前記第二固定部材は、基部及び前記基部の最大外径より小さい外径を有し且つ前記第一の厚さを有する挿入部のみを有し、
前記第二の管は前記第一の管の外周に装着されて、一端が前記本体部の外周面に固定され、
前記第二固定部材は前記第一の管の外周に装着されて、前記挿入部が前記第一の管と前記第二の管の他端との間に挿入されて前記第一の管と前記第二の管との間に隙間を形成するように前記第一の管に固定されることを特徴とする請求項２に記載の野球用又はソフトボール用バット。
【請求項８】
前記第一の管は、Ｃ−ＦＲＰ、Ｂ−ＦＲＰ又はＫ−ＦＲＰのいずれかから形成され、
前記第二の管の内層は、アルミニウム、アルミニウム合金、チタン、チタニウム合金、マグネシウム合金、アルミニウム‐スカンジウム合金、スカンジウム合金、合金鋼又はＦＲＰのいずれかから形成され、
前記第二の管の外層は、アルミニウム、アルミニウム合金、チタン、チタニウム合金、マグネシウム合金、アルミニウム‐スカンジウム合金、スカンジウム合金、合金鋼、ＦＲＰ又は木材のいずれかから形成されることを特徴とする請求項２又は請求項３に記載の野球用又はソフトボール用バット。
【請求項９】
前記ストッパ部は、前記先端部の端部から少なくとも１００ｍｍ以上前記打球部側の位置に形成され、
前記第二の管は、最も打撃に適した位置に配置されることを特徴とする請求項２に記載の野球用又はソフトボール用バット。
【請求項１０】
更に、前記第一の管にネジ止め又は接着の少なくともいずれかによって固定されるか、或いは前記第一の管と一体形成されるグリップエンドを有することを特徴とする請求項２に記載の野球用又はソフトボール用バット。
【請求項１１】
前記第二固定部材は、前記開口内側にネジ切り加工が施された第一ネジ部を有し、
前記第一の管は、外周の所定の箇所にネジ切り加工が施された第二ネジ部を有し、
前記第二固定部材は前記第一の管の外周に装着されて、前記第一ネジ部と前記第二ネジ部とがネジ止め及び接着固定されることを特徴とする請求項２に記載の野球用又はソフトボール用バット。
【請求項１２】
グリップ部、テーパー部、打球部及び先端部を有するＦＲＰから成る第一の管と、
両端が開口し、前記第一の管の打球部の外径より大きい内径を有し、少なくとも２以上の層から成る多層の円筒形の第二の管と、
両端が開口し、前記第一の管の外径より大きく且つ前記第二の管の外径より小さい外径を有する円筒形の第三の管と、
本体部、前記本体部の外径より大きい外径を有するフランジ部及び前記本体部から前記フランジの反対方向に突出するように形成され前記本体部の外径より小さい外径を有する第二本体部を有し、前記打球部の外径より大きい開口を有するドーナツ状の第一固定部材と、
基部、前記基部の最大外径より小さい外径を有する第一挿入部、内側に向かって突出形成された凸部及び前記第一挿入部から前記基部の反対方向に突出形成され前記第一挿入部部の外径より小さい外径を有する第二挿入部を有し、前記打球部の外径より大きい開口を有するドーナツ状の第二固定部材と、を備え、
前記第一の管は、前記打球部側から前記先端部側に向かって拡開されて前記第二の管の内径より大きな外径を有するストッパ部及び前記第一の管を縮径して形成された溝状の係止窪みを有し、
前記第一固定部材は前記第一の管の外周に装着されて、前記本体部の内周面が前記第一の管に固定され且つ前記フランジ部の一面が前記ストッパ部に固定され、
前記第三の管は前記第一の管の外周に装着されて、一端が前記第二本体部の外周面に固定され、
前記第二の管は前記第三の管の外周に装着されて、一端が前記本体部の外周面に固定され、
前記第二固定部材は前記第一の管の外周に装着されて、前記第二挿入部が前記第一の管と前記第三の管の他端との間に挿入されて前記第一の管と前記第三の管との間に第一の隙間を形成し且つ前記第一挿入部が前記第三の管の他端と前記第二の管の他端との間に挿入されて前記第三の管と前記第二の管との間に第二の隙間を形成するように固定され並びに前記凸部が前記係止窪みに嵌合して固定されることを特徴とする野球用又はソフトボール用バット。
【請求項１３】
前記第二の管は、金属又はＦＲＰから成る内層と、前記内層の外周に装着される金属、ＦＲＰ又は木材のいずれかから成る少なくとも一つ以上の外層とを含んで一体形成されることを特徴とする請求項１２に記載の野球用又はソフトボール用バット。
【請求項１４】
前記第二の管の外層は、金属から成る第１の部分と、前記金属と異なる金属、ＦＲＰ又は木材のいずれかから成る１以上の第２の部分の組合せから成り、前記複数の部分の少なくとも１つは他の部分と異なる材質で形成されることを特徴とする請求項１３に記載の野球用又はソフトボール用バット。
【請求項１５】
前記バットは、キャップ先端部、窪部及び固定部を有するキャップをさらに有し、
前記先端部は、端部が内側に向かって湾曲されたカール部を備え、
前記固定部の外径は前記カール部から前記ストッパ部までの前記第一の管の内径より小さく、且つ前記窪部の外径は前記カール部の内径より小さく、
前記窪部は前記カール部によって係止されることを特徴とする請求項１３に記載の野球用又はソフトボール用バット。
【請求項１６】
前記先端部は、端部が内側に向かって湾曲されて閉じられることを特徴とする請求項１３に記載の野球用又はソフトボール用バット。
【請求項１７】
前記第一の管は、前記ストッパ部の外径より小さい外径を有する第１ステップ部及び前記第１ステップ部の外径より小さく且つ前記打球部の外径より大きい外径を有する第２ステップ部を更に有し、
前記第三の管は前記第一の管の外周に装着されて、一端が前記第２ステップ部に固定され、
前記第二の管は前記第三の管の外周に装着されて、一端が前記第１ステップ部に固定され、
前記第二固定部材は前記第一の管の外周に装着されて、前記第二挿入部が前記第一の管と前記第三の管の他端との間に挿入されて前記第一の管と前記第三の管との間に第一の隙間を形成し且つ前記挿入部が前記第三の管の他端と前記第二の管の他端との間に挿入されて前記第三の管と前記第二の管との間に第二の隙間を形成するように固定され並びに前記凸部が前記係止窪みに嵌合して固定されることを特徴とする請求項１３に記載の野球用又はソフトボール用バット。
【請求項１８】
前記第一の管は、グリップ部、テーパー部、打球部、先端部及び前記打球部側から前記先端部側に向かって拡開されて前記第二の管の内径より大きな外径を有するストッパ部のみを有し、
前記第二固定部材は、基部、前記基部の最大外径より小さい外径を有する第一挿入部及び前記第一挿入部から前記基部の反対方向に突出形成され前記第一挿入部部の外径より小さい外径を有する第二挿入部のみを有し、
前記第三の管は前記第一の管の外周に装着されて、一端が前記第２ステップ部に固定され、
前記第二の管は前記第三の管の外周に装着されて、一端が前記第１ステップ部に固定され、
前記第二固定部材は前記第一の管の外周に装着されて、前記第二挿入部が前記第一の管と前記第三の管の他端との間に挿入されて前記第一の管と前記第三の管との間に第一の隙間を形成し且つ前記第一挿入部が前記第三の管の他端と前記第二の管の他端との間に挿入されて前記第三の管と前記第二の管との間に第二の隙間を形成するように固定されることを特徴とする請求項１３に記載の野球用又はソフトボール用バット。
【請求項１９】
前記第一の管は、Ｃ−ＦＲＰ、Ｂ−ＦＲＰ又はＫ−ＦＲＰのいずれかから形成され、
前記第二の管の内層及び前記第三の管は、アルミニウム、アルミニウム合金、チタン、チタニウム合金、マグネシウム合金、アルミニウム‐スカンジウム合金、スカンジウム合金、合金鋼又はＦＲＰのいずれかから形成され、
前記第二の管の外層は、アルミニウム、アルミニウム合金、チタン、チタニウム合金、マグネシウム合金、アルミニウム‐スカンジウム合金、スカンジウム合金、合金鋼、ＦＲＰ又は木材のいずれかから形成されることを特徴とする請求項１３又は請求項１４に記載の野球用又はソフトボール用バット。
【請求項２０】
更に、前記第一の管にネジ止め又は接着の少なくともいずれかによって固定されるか、或いは前記第一の管と一体形成されるグリップエンドを有することを特徴とする請求項１３に記載の野球用又はソフトボール用バット。
【請求項２１】
前記第二固定部材は、前記開口内側にネジ切り加工が施された第一ネジ部を有し、
前記第一の管は、外周の所定の箇所にネジ切り加工が施された第二ネジ部を有し、
前記第二固定部材は前記第一の管の外周に装着されて、前記第一ネジ部と前記第二ネジ部とがネジ止め及び接着固定されることを特徴とする請求項１３に記載の野球用又はソフトボール用バット。
【発明の詳細な説明】
【技術分野】
【０００１】
本発明は、野球用又はソフトボール用バットの反発特性の改良に関するものである。
【背景技術】
【０００２】
従来、高強度のバットで打った場合にボールの飛距離が伸びると考えられていた。これは、高強度のバットが反発特性に優れており、ボールの飛距離がバットの反発特性のみに依存すると考えられていたからである。しかし、近年においては、ボールの飛距離はバットの強度に依存するのではなく、むしろボールとバットが衝突した際に、打撃エネルギーがボールの変形エネルギーとして消費されるのを抑制し、且つ、バット自体の反発力が高いバットが、ボールの飛距離が伸びることがわかってきた。
【０００３】
そこで、ボールの飛距離を伸ばすために、バットの構造に関して様々な試みがなされている。大別すると、第一には、特許文献１に示されたように、金属バットの打球部の外周に多層のウレタン層を設け、ウレタン層によって打撃エネルギーがボールの変形エネルギーとして消費されることを抑制する方法である。第二には、特許文献２に示されたように、金属バットを二重構造として、肉薄の金属管が撓むことによって、打撃エネルギーがボールの変形エネルギーとして消費されることを抑制する方法である。
【０００４】
しかし、金属バットの打球部の外周にウレタン層を設ける方法では、ウレタン層が経年変化によって劣化するため、金属バットに比して耐久性に劣るという問題がある。また、ミスヒットが多くなる欠点がある。
【０００５】
一方、二重構造の金属バットは耐久性の問題が無く、飛距離も延びるが、軽量化がしにくいという問題がある。特に、非力な子供用及び女子用のバットの場合、軽量でなければバットを振り回すことができない。一般に、スウィング・スピードは、おおむねバットの重量に比例し、軽量のバットほどスウィング・スピードがアップする。従って、子供用及び女子用のバットの場合には、特に軽量であることが求められ、この点で、二重構造バットの更なる改良が求められている。特に、女子のソフトボール用バットにおいては、軽量化の要求が顕著である。
【特許文献１】特開２００５−３０５１４６号公報
【特許文献２】特開２００８−２９６２０号公報
【発明の開示】
【発明が解決しようとする課題】
【０００６】
本発明は、打撃エネルギーがボールの変形エネルギーとして消費されることを抑制でき、且つ、特に軽量の野球用又はソフトボール用バットを提供することを目的とする。さらに、本発明は、製造が容易で、コストの低廉な野球用又はソフトボール用バットを提供することを目的とする。
【課題を解決するための手段】
【０００７】
本発明の一実施形態によって、グリップ部、テーパー部、打球部及び先端部を有するＦＲＰから成る第一の管と、両端が開口し、前記第一の管の打球部の外径より大きい内径を有し、少なくとも２以上の層から成る多層の円筒形の第二の管と、本体部及び前記本体部の外径より大きい外径を有するフランジ部を有し、前記打球部の外径より大きい開口を有するドーナツ状の第一固定部材と、基部、前記基部の最大外径より小さい外径を有する挿入部及び内側に向かって突出形成された凸部を有し、前記打球部の外径より大きい開口を有するドーナツ状の第二固定部材と、を備え、前記第一の管は、前記打球部側から前記先端部側に向かって拡開されて前記第二の管の内径より大きな外径を有するストッパ部及び前記第一の管を縮径して形成された溝状の係止窪みを有し、前記第一固定部材は前記第一の管の外周に装着されて、前記本体部の内周面が前記第一の管に固定され且つ前記フランジ部の一面が前記ストッパ部に固定され、前記第二の管は前記第一の管の外周に装着されて、一端が前記本体部の外周面に固定され、前記第二固定部材は前記第一の管の外周に装着されて、前記挿入部が前記第一の管と前記第二の管の他端との間に挿入されて前記第一の管と前記第二の管との間に隙間を形成するように固定され且つ前記凸部が前記係止窪みに嵌合して固定されることを特徴とする野球用又はソフトボール用バットが提供される。
【０００８】
また、本発明の別の実施形態によって、グリップ部、テーパー部、打球部及び先端部を有するＦＲＰから成る第一の管と、両端が開口し、前記第一の管の打球部の外径より大きい内径を有し、少なくとも２以上の層から成る多層の円筒形の第二の管と、両端が開口し、前記第一の管の外径より大きく且つ前記第二の管の外径より小さい外径を有する円筒形の第三の管と、第一の高さを有する本体部、前記本体部の外径より大きい外径を有するフランジ部及び前記本体部から前記フランジの反対方向に突出するように形成され前記本体部の外径より小さい外径を有し且つ第二の厚さを有する第二本体部を有し、前記打球部の外径より大きい開口を有するドーナツ状の第一固定部材と、基部、前記基部の最大外径より小さい外径を有し且つ前記第一の高さを有する第一挿入部、内側に向かって突出形成された凸部及び前記第一挿入部から前記基部の反対方向に突出形成され前記第一挿入部部の外径より小さい外径を有し且つ第二の高さを有する第二挿入部を有し、前記打球部の外径より大きい開口を有するドーナツ状の第二固定部材と、を備え、前記第一の管は、前記打球部側から前記先端部側に向かって拡開されて前記第二の管の内径より大きな外径を有するストッパ部及び前記第一の管を縮径して形成された溝状の係止窪みを有し、前記第一固定部材は前記第一の管の外周に装着されて、前記本体部の内周面が前記第一の管に固定され且つ前記フランジ部の一面が前記ストッパ部に固定され、前記第三の管は前記第一の管の外周に装着されて、一端が前記第二本体部の外周面に固定され、前記第二の管は前記第三の管の外周に装着されて、一端が前記本体部の外周面に固定され、前記第二固定部材は前記第一の管の外周に装着されて、前記第二挿入部が前記第一の管と前記第三の管の他端との間に挿入されて前記第一の管と前記第三の管との間に第一の隙間を形成し且つ前記第一挿入部が前記第三の管の他端と前記第二の管の他端との間に挿入されて前記第三の管と前記第二の管との間に第二の隙間を形成するように固定され並びに前記凸部が前記係止窪みに嵌合して固定されることを特徴とする野球用又はソフトボール用バットが提供される。
【０００９】
前記野球用又はソフトボール用バットの前記第二の管は、金属又はＦＲＰから成る内層と、前記内層の外周に装着される金属、ＦＲＰ又は木材のいずれかから成る少なくとも一つ以上の外層とを含んで一体形成されてもよい。
【００１０】
前記野球用又はソフトボール用バットの前記第二の管の外管は、金属から成る第１の部分と、前記金属と異なる金属、ＦＲＰ又は木材のいずれかから成る１以上の第２の部分の組合せから成り、前記複数の部分の少なくとも１つは他の部分と異なる材質で形成されてもよい。
【００１１】
前記野球用又はソフトボール用バットは、キャップ先端部、窪部及び固定部を有するキャップをさらに有し、前記先端部は、端部が内側に向かって湾曲されたカール部を備え、前記固定部の外径は前記カール部から前記ストッパ部までの前記第一の管の内径より小さく、且つ前記窪部の外径は前記カール部の内径より小さく、前記窪部は前記カール部によって係止されてもよい。
【００１２】
前記野球用又はソフトボール用バットの前記先端部は、端部が内側に向かって湾曲されて閉じられてもよい。
【００１３】
前記野球用又はソフトボール用バットの前記第一の管は、前記ストッパ部の外径より小さく且つ前記打球部の外径より大きい外径を有するステップ部を更に有し、前記第二の管は前記第一の管の打球部の外周に装着されて、一端が前記ステップ部に固定され、他端が前記第一の管と前記第二の管との間に挿入された前記挿入部に固定されて、前記第一の管との間に隙間を形成してもよい。
【００１４】
前記野球用又はソフトボール用バットの前記第一の管は、グリップ部、テーパー部、打球部、先端部及び前記打球部側から前記先端部側に向かって拡開されて前記第二の管の内径より大きな外径を有するストッパ部のみを有し、前記第二固定部材は、基部及び前記基部の最大外径より小さい外径を有し且つ前記第一の厚さを有する挿入部のみを有し、前記第二の管は前記第一の管の外周に装着されて、一端が前記本体部の外周面に固定され、前記第二固定部材は前記第一の管の外周に装着されて、前記挿入部が前記第一の管と前記第二の管の他端との間に挿入されて前記第一の管と前記第二の管との間に隙間を形成するように前記第一の管に固定されてもよい。
【００１５】
前記野球用又はソフトボール用バットの前記第一の管は、Ｃ−ＦＲＰ、Ｂ−ＦＲＰ又はＫ−ＦＲＰのいずれかから形成され、前記第二の管の内層は、アルミニウム、アルミニウム合金、チタン、チタニウム合金、マグネシウム合金、アルミニウム‐スカンジウム合金、スカンジウム合金、合金鋼又はＦＲＰのいずれかから形成され、前記第二の管の外層は、アルミニウム、アルミニウム合金、チタン、チタニウム合金、マグネシウム合金、アルミニウム‐スカンジウム合金、スカンジウム合金、合金鋼、ＦＲＰ又は木材のもいずれかから形成されてもよい。
【００１６】
前記野球用又はソフトボール用バットの前記ストッパ部は、前記先端部の端部から少なくとも１００ｍｍ以上前記打球部側の位置に形成され、前記第二の管は、最も打撃に適した位置に配置されてもよい。
【００１７】
前記野球用又はソフトボール用バットは、更に、前記第一の管にネジ止め又は接着の少なくともいずれかによって固定されるか、或いは前記第一の管と一体形成されるグリップエンドを有してもよい。
【００１８】
前記野球用又はソフトボール用バットの前記第二固定部材は、前記開口内側にネジ切り加工が施された第一ネジ部を有し、前記第一の管は、外周の所定の箇所にネジ切り加工が施された第二ネジ部を有し、前記第二固定部材は前記第一の管の外周に装着されて、前記第一ネジ部と前記第二ネジ部とがネジ止め及び接着固定されてもよい。
【発明の効果】
【００１９】
本発明によって、打撃エネルギーがボールの変形エネルギーとして消費されることを抑制でき、且つ、特に軽量の野球用又はソフトボール用バットが提供される。また、製造が容易で、コストの低廉な野球用又はソフトボール用バットが提供される。
【発明を実施するための最良の形態】
【００２０】
［二重層バットの構造］
以下、本発明の実施形態１に係る野球用又はソフトボール用バット１について、図を基に説明する。なお、同一構成要素には同一符号を付け、実施の形態の間において重複する説明は省略する。なお、図示の都合上、一部の部材については、例えば第二固定部材４０等について全長が実際よりも長く表示されているものがある。各部材の長手方向の長さ等に関する比率等は、図に限定されるものではない。
【００２１】
図１は、本発明の実施形態１に係る野球用又はソフトボール用バット１の長手方向の切欠断面図及び幅方向の線α−α’の断面図である。また、図２は、本発明の実施形態１に係る野球用又はソフトボール用バット１の先端部１１及び打球部１２の長手方向の拡大断面図である。また、図３は、本発明の実施形態１に係る野球用又はソフトボール用バット１の打球部１２及びテーパー部１３の長手方向の拡大断面図である。なお、以下の実施形態においては、本発明の野球用及びソフトボール用バット１の一例を示しており、本発明の野球用及びソフトボール用バット１は、それら実施例に限定されるわけではない。
【００２２】
図１において、本発明の実施形態１に係る野球用又はソフトボール用バット１は、概略、先端部１１、打球部１２、テーパー部１３及びグリップ部１４を有する第一の管１０と、第一の管１０の打球部１２の外周に装着されて固定される第二の管２０と、第一固定部材３０と、第二固定部材４０と、キャップ５０と、グリップエンド８０とから構成される。なお、本発明の実施形態１においては、前記第二の管２０を外管２０という場合もある。また、本発明の実施形態１に係る野球用又はソフトボール用バット１においては、第一の管１０の打球部１２と、当該部分の外周に位置する第二の管２０の一部とが一体となってボールを打撃する打球部を形成するが、説明の都合上、以下の記載においては、第一の管１０の該当部分のみを打球部１２と称する。
【００２３】
図１において、第一の管１０は打者がボールを打撃する際の中心をなすものであり、打者はグリップ部１４を握ってバットを振り、投球されたボールを打撃する。上述したように第一の管１０は、概略４つの構成部分から構成され、本発明の実施形態１に係る野球用又はソフトボール用バット１においては、特に軽量化と強度確保のために繊維強化プラスチック（Ｆｉｂｅｒ＿Ｒｅｉｎｆｏｒｃｅｄ＿Ｐｌａｓｔｉｃｓ＿以下、ＦＲＰと記す。）により一体的に形成される。特に、第一の管１０の材質としては、炭素繊維強化プラスチック（Ｃａｒｂｏｎ−Ｆｉｂｅｒ＿Ｒｅｉｎｆｏｒｃｅｄ＿Ｐｌａｓｔｉｃｓ＿以下、Ｃ−ＦＲＰと記す。）、ボロン繊維強化プラスチック（Ｂｏｒｏｎ−Ｆｉｂｅｒ＿Ｒｅｉｎｆｏｒｃｅｄ＿Ｐｌａｓｔｉｃｓ＿以下、Ｂ−ＦＲＰと記す。）及びケブラー（登録商標）繊維強化プラスチック（Ｋｅｖｌａｒ−Ｆｉｂｅｒ＿Ｒｅｉｎｆｏｒｃｅｄ＿Ｐｌａｓｔｉｃｓ＿以下、Ｋ−ＦＲＰと記す。）が好適に用いられる。
【００２４】
本発明の実施形態１においては、第一の管１０は、二重構造のバット全体の軽量化を図るため、例えば肉厚が１ｍｍ〜６ｍｍに形成される。なお、上述した肉厚は一例でありこれに限定されるわけではない。そして、第一の管１０のグリップ部１４の内部にネジを切り、主として金属から形成したグリップエンド８０が、ネジ込みにより取り付けられる。グリップエンド８０は、ネジ止め、接着、ネジ止め及び接着のいずれかにより固定される。但し、これに限定されるわけではなく、グリップ部１４とグリップエンド８０が一体に形成されてもよい。また、グリップエンド８０の材質も金属に限定されない。
【００２５】
特徴的には、本発明の実施形態１に係る野球用又はソフトボール用バット１の第一の管１０は、先端部１１の外径が打球部１２の外径より大きく設定されている。言い換えれば、打球部１２から先端部１１にかけて拡径するように形成されている。そして、この拡径された部分の外径は、後述する第二の管２０の内径より大きく設定されており、好適には第二の管２０の外径と同一に設定される。この拡径部分をストッパ部１６と言い、ストッパ部１６は、第二の管２０がバット先端部１１側から抜け落ちることを防止する。なお、ストッパ部１６の外径を第二の管２０の外径と同一に設定するのは、ストッパ部１６の外面と第二の管２０の外面とが面一に形成されるようにするためである。
【００２６】
更に、本発明の実施形態１に係る野球用又はソフトボール用バット１は、先端部１１の端部が所定の長さ内側に向かって湾曲するように形成されている。言い換えれば、先端部１１の端部が内側に向かってほぼ直角におり曲げられている。以下、この部分をカール部１９といい、又この折り曲げ処理をカール処理という。カール部１９は、後述するキャップ５０を係止する役割を果す。従って、前記所定の長さは、後に圧入するキャップ５０を係止するのに充分な長さであれば良く、一般的に約３ｍｍ〜１０ｍｍであるが、好適には約５ｍｍ程度である。
【００２７】
また、本発明の実施形態１に係る野球用又はソフトボール用バット１は、打球部１２のテーパー部１３との境近傍の所定の箇所に、内側に窪むように形成された溝を有する。言い換えれば、本発明に係るバットは、打球部１２のテーパー部１３側の所定の箇所において縮径加工されている。以下、この部分を係止窪み１５と言う。なお、係止窪み１５の形成される位置は、これに限定されない。係止窪み１５は、後述する第二固定部材４０の凸部４３が嵌合される部分であり、第二固定部材４０を第一の管１０に固定する役割を果す。係止窪み１５は、第一の管１０の外周に環状に形成されるが、これに限定されるわけでなく、環状の特定の箇所にのみ形成しても良い。
【００２８】
第一の管１０は、上述したようにＦＲＰによって形成される。ＦＲＰによるバットの成形方法には、フィラメントワインディング法（Ｆｉｌａｍｅｎｔ＿Ｗｉｎｄｉｎｇ）、シートワインディング法（Ｓｈｅｅｔ＿Ｗｉｎｄｉｎｇ）、オートクレープ法、プレス成形法等があるが、本発明の実施形態１に係る野球用又はソフトボール用バット１は、好適には、ブレイディング法（Ｂｒａｉｄｉｎｇ＿いわゆる組紐の技術を応用して、繊維強化プラスチックの繊維を編み込む方法。）によって形成したＦＲＰの円筒を使用し、内圧成形法によって形成する。これは、形成されるバットが、径が小さいグリップ部１４や径が次第に大きくなるテーパー部１３等の径が一律でない箇所を含むためである。即ち、ＦＲＰシートを用いてシートワインディング法によってバットを形成する場合、上述した径が一律でない箇所を有するバットの形状に形成したマンドレルにＦＲＰシートを巻き付けて形成するが、巻き付ける箇所に応じてＦＲＰシートを小さく裁断して使用しても、径が一律でない箇所にＦＲＰシートを均一に巻き付けることが容易でないためである。
【００２９】
一方、ブレイディング法によるＦＲＰの円筒の形成方法については説明を省略するが、形成されたＦＲＰの円筒（以下、これをＦＲＰプリプレグという。）は、全体三軸構造といわれ、糸状に形成したＦＲＰが三方向に編み込まれたネット状の円筒に形成される。即ち、Ｔｉｐ（頂点）からＢｕｔｔ（根元）まで連続した長手方向のＦＲＰ繊維に対して、他の２本のＦＲＰ繊維が、それぞれ所定の繊維配向角度（これを、面内巻角度という。）で交差するように編み込まれる。従って、円周方向の強度が均一なＦＲＰプリプレグを形成することができ、また、面内巻角度の調整により剛性分布設計を容易に行うことができる。そして、形成されたＦＲＰプリプレグは３次元方向に伸縮自在であるため、バットの形状に形成したマンドレルの径が一律でない箇所にも、容易に巻き付けることができる。従って、本発明の実施形態１に係る野球用又はソフトボール用バット１の製造においては、ブレイディング法によって形成したＦＲＰプリプレグを好適に用いるのである。
【００３０】
次に、上述したブレイディング法によって形成したＦＲＰプリプレグを用いたバットの製造方法について説明する。上述したように本実施形態１に係る野球用又はソフトボール用バット１は、内圧成形法によって製造した。但し、これに限定されるわけではなく、他の成形方法によって製造しても良い。
【００３１】
具体的には、まず、ブレイディング法によって形成したＦＲＰプリプレグを、第一の管１０の寸法に合わせて所定の寸法に裁断する。
【００３２】
次に、裁断したＦＲＰプリプレグを、第一の管１０の内径にほぼ等しく形成したマンドレルを覆うように装着する。
【００３３】
マンドレルを外し、内圧を掛けるためにＦＲＰプリプレグ内にナイロンチューブを通す。第一の管１０の先端部を一体的に形成する場合には、必要に応じて先端部にＦＲＰプリプレグで作製した蓋をする。
【００３４】
金型にナイロンチューブを通したＦＲＰプリプレグをセットする。グリップエンド８０を一体成形する場合には、グリップエンドに相当する箇所には、ＦＲＰプリプレグを丸めたものを金型に詰めるが、これに限定されるわけではない。なお金型には、拡径されたストッパ部１６や縮径された係止窪み１５の形状に合わせて、所定の箇所に凸部や凹部が成形されている。
【００３５】
プレス機に入れて内圧を掛けながら加熱する。次に、脱型し、内圧チューブを取り除いて、必要に応じてアフターキュアー（ａｆｔｅｒ＿ｃｕｒｅ）を行う。ここで、アフターキュアーとは、成形時点で充分に硬化が完了していない場合に、後工程において加熱し硬化を進行させる処理を言う。
【００３６】
内部を発泡体で中実にするものは、グリップエンドの穴から発泡ビーズを充填し更に加熱発泡する。以上が、ブレイディング法によって形成したＦＲＰプリプレグを用いた、本発明の実施形態１に係る野球用又はソフトボール用バット１の第一の管１０の製造方法である。
【００３７】
本発明の実施形態１に係る野球用又はソフトボール用バット１の第二の管２０は、両端が開口した均一の外径の円筒形の管である。第二の管２０の内径は、第一の管１０の打球部１２の外径よりも大きく、好適には、第一の管１０と第二の管２０との間に形成する隙間６０の高さの約２倍分第一の管１０の外径より大きい径である。
【００３８】
特徴的には、第二の管２０は、内層と外層とを含む複合多層構造の管を用いる。本実施形態１においては、第二の管２０として複合２層構造の管を使用しているが、これに限定されず、例えば、複合３層構造等の管を使用しても良い。説明の都合上、以下の実施形態および実施例については、複合２層構造の第二の管２０を使用した例について説明する。
【００３９】
ここで、複合２層構造とは、内層と、前記内層の外周に装着され原則として前記内層と異なる材質から形成される外層（２層構造の場合には、表面層。）の２層構造の管である。内層及び外層の材質の詳細は図４に示すが、図４に示すとおり、内層の材質としては、アルミニウム、アルミニウム合金、チタン、チタニウム合金、マグネシウム合金、アルミニウム‐スカンジウム合金、スカンジウム合金、合金鋼又はＦＲＰのいずれかを用いる。一方、図４に示すとおり、外層の材質としては、アルミニウム、アルミニウム合金、チタン、チタニウム合金、マグネシウム合金、アルミニウム‐スカンジウム合金、スカンジウム合金、合金鋼、ＦＲＰ又は木材のいずれかを用いる。ここで、本明細書において木材とは、薄いシート状に形成した木材を所定の径に巻いて接着して円筒状に形成したものや、円柱状の木材の内部を刳り貫いて円筒状に形成したものを言うが、これに限定されず、木材を用いて形成したものを総称する。本実施形態に係るバットにおいては、内層としてアルミニウム、アルミニウム合金、アルミニウム‐スカンジウム合金、スカンジウム合金及びＦＲＰを好適に用いる。また、外層としては、軽量で反発特性に優れるチタン、チタニウム合金及びマグネシウム合金や、ＦＲＰ並びに打球感に優れる木材を好適に用いる。本実施形態１においては、内層の材質としてアルミニウム又はアルミニウム合金を用い、外層の材質として反発特性に優れるチタン又はチタニウム合金を用いた。内層及び外層は別個に形成されて、通常は内層を外層に圧入して形成されるが、内層の外面に接着剤や樹脂を塗布して外層内部に挿入して接着してもよい。また、他の方法で形成してもよい。内層、外層の材質として金属を用いる場合は、熱処理されたうえで使用される。一般的な金属の二重層バットにおいては、特に、外管と内管の材質を異なったものとした場合に、それぞれの管の熱膨張率の差に起因して、応力を開放するための熱処理が極めて困難である。一方、本実施形態１に係るバットは、内層と外層の材質が異なるが、それぞれ別個に形成して圧入等によって一体化するため、一般的な金属の二重層バットと比較して金属管の熱処理が容易である。
【００４０】
なお、内層及び外層は複合されて使用されるため、それぞれの管を肉薄に形成しても強度を確保することができる。従って、本実施形態１においては、それぞれの管の肉厚は、特許文献２で示されたバットの第二の管の肉厚のそれぞれ略半分の肉厚に形成され、貼り合わされた場合にほぼ同様の肉厚になるように設定されている。但し、これに限定されるわけではなく、要求される強度に応じてそれぞれの肉厚が決定され、内層と外管の肉厚が異なっても良い。いずれにしても、かかる複合多層構造とすることで、第二の管２０全体の強度を確保しながら、且つ軽量化を図ることができる。
【００４１】
また図示していないが、上述した第二の管２０の外周に、第二の管２０の傷防止及び外観上のデザイン的効果を目的として化粧シートを貼っても良い。前記化粧シートには、ポリエチレンフィルム、エラストマーフィルム及びプラスチックフィルム等の樹脂フィルムや、シート状のＦＲＰ等が用いられる。
【００４２】
図２に示すように、第一固定部材３０は、開口を有するドーナツ状の形状であり、第二の管２０の一端を第一の管１０の打球部１２の先端部１１側に固定する部材である。第一固定部材３０は、本体部３１とフランジ部３２を有する。開口の径は、第一の管１０の打球部１２の外径より若干大きく設定される。
【００４３】
第一固定部材３０の本体部３１は、所定の高さを有する。この高さは、接着剤７０を介して第一固定部材３０を第一の管１０に接着し、本体部３１の外周に接着剤７０を介して第二の管２０を固定した場合に、第一の管１０と第二の管２０との間に所望の高さの隙間６０が形成される高さである。言い換えれば、形成する隙間６０の所望の高さから、介在させる接着剤７０が固化した場合の高さを差し引いた高さに設定される。なお、この本体部３１は、打撃時に第二の管２０が撓む際のバネの支点に相当する役割を果す部分でもある。
【００４４】
一方、第一固定部材３０のフランジ部３２は、第二の管２０の端部が第一の管１０のストッパ部１６に接触して破損し、又は金属音を発するのを防止する役割を果す部分である。フランジ部３２の外径は、ストッパ部１６及び第二の管２０の外径と同一に設定される。ストッパ部１６、フランジ部３２及び第二の管２０のそれぞれの外面が、面一に形成されるようにするためである。
【００４５】
図３に示すように、第二固定部材４０は開口を有し、上部が切断された略円錐状の形状である。第二固定部材４０は、第二の管２０の他端を第一の管１０の打球部１２のテーパー部１３側に固定する部材である。第二固定部材４０は、基部４１、挿入部４２及び凸部４３を有する。第二固定部材４０の開口の径は、第一固定部材３０の開口の径と同一であり、第一の管１０の打球部１２の外径より若干大きく設定される。
【００４６】
第二固定部材４０の基部４１の外径は一方向に向かって逓減するように設定され、第二固定部材４０を第一の管１０に固定した場合に、基部４１の外周が第一の管１０のテーパー部１３の外周となだらかに連続して一体化された外面を形成する。また、基部４１の最大外径は、第二の管２０の外径と同一に設定され、第二の管２０の外面と基部４１の外面が一体化された外面を形成する。
【００４７】
第二固定部材４０の挿入部４２は、第一の管１０と第二の管２０との間に挿入される部分であり、所望の高さを有する。この高さは、第一固定部材３０の本体部３１の高さと一般的には同一であり、従って、第一の管１０と第二の管２０とが接着剤７０及び挿入部４２を介して固定された場合に、両者間に所定の高さの隙間６０が形成される高さである。但し、挿入部４２の高さはこれに限定されず、本体部３１の高さと異なっていてもよい。
【００４８】
特徴的には、第二固定部材４０は、開口側に突出するように設けられた環状の凸部４３を有する。凸部４３の断面形状は、第一の管１０に形成された係止窪み１５の断面形状と同様であり、係止窪み１５と嵌合する形状である。従って、第二固定部材４０が第一の管１０に装着された場合に、凸部４３が係止窪み１５に嵌合することで、第二固定部材４０が第一の管１０の外周に強固に固定される。但し凸部４３の形状はこれに限定されず、環状の一部が複数箇所途切れた形状であってもよく、また他の形状であっても良い。
【００４９】
また、第二固定部材４０は、前記開口内側にネジ切り加工が施された第一ネジ部（図示せず）を有してもよく、この場合には、第一の管１０の外周の所定の箇所に同様にネジ切り加工が施された第二ネジ部（図示せず）を設ける。そして、第二固定部材４０を第一の管１０の外周に装着し、第一ネジ部と第二ネジ部とがネジ止め及び接着固定される。
【００５０】
以上説明した第一固定部材３０及び第二固定部材４０は、ポリウレタン、ポリアミド、ポリエチレン等のプラスチックや合成ゴム、その他のエラストマー等の材質にて形成される。但し、第一固定部材３０及び第二固定部材４０の材質はこれらに限定されるわけではない。合成樹脂、金属、セラミック等であっても良い。
【００５１】
図１に示した、本実施形態１においては、第一の管１０の先端部１１には、キャップ５０が圧入加工によって装着される。バット使用時には、一般的に打撃が終わった後バットは放り投げられる。また、使用者によっては、先端側でスパイクを叩いて泥を落としたり、また地面を叩いたりする場合もある。キャップ５０は、かかる場合に、バットを保護する役割を果す。即ち、キャップ５０は、上述した使用者の打撃以外の行為によるバットの破損を防ぐ役割も果している。
【００５２】
かかる機能を果すキャップ５０は、本実施形態では樹脂によって形成され、上述したように、圧入加工によって第一の管１０の先端に挿入される。但し、キャップ５０の材質はこれに限定されない。図２を参照して、キャップ５０を詳細に説明する。図２に示すように、キャップ５０は、キャップ先端部５１、キャップ窪部５２、キャップ固定部５３及びキャップ第二固定部５４からなる。キャップ先端部５１は、バットが形成された後に、第一の管１０の先端部１１を保護する部分である。
【００５３】
キャップ窪部５２は、キャップ５０が圧入加工によって、第一の管１０の先端部１１に挿入された場合に、キャップ５０を先端部１１に固定する役割を果す部分である。ここで、キャップ窪部５２の外径は、先端部１１のカール部１９の内径よりも小さい。従って、キャップ５０が圧入されると、前記カール部１９が窪部５２に食い込むため、キャップ５０が第一の管１０の先端部１１に嵌合するのである。
【００５４】
キャップ固定部５３は、カール部１９の内径より大きな外径を有し、従って、一旦圧力によってキャップ５０が先端部１１に挿入されると、このキャップ固定部５３がカール部１９に引っ掛かって、キャップ５０が飛び出すのを係止する。さらに圧入加工の際に、先端部１１の内側に接着剤５０が塗布され、キャップ固定部５３の外側と、第一の管先端部１１の内側との間において前記接着剤が固化してキャップ５０をさらに強固に固定する。同様にキャップ第二固定部５４も、接着剤５０を介することで、キャップ５０を第一の管先端部１１に固定する役割を果す。
【００５５】
次に、上述した部材を用いて、本発明の実施形態１に係る野球用又はソフトボール用バット１を製造する工程について説明する。まず、第一固定部材３０の開口内側及びフランジ部３２の一面に、接着剤７０を塗布する。次に、接着剤７０を塗布した第一固定部材３０をグリップ部１４側から第一の管１０に装着し、第一の管１０の打球部１２の先端部１１側に接着剤７０を介して固定する。この時、フランジ部３２の一面が接着剤７０を介してストッパ部１６に固定され、第一固定部材３０がより強固に固定される。
【００５６】
第一固定部材３０が第一の管１０に固定された後、第一固定部材３０の本体部３１外側及びフランジ部３２の他面に接着剤７０を塗布する。第二の管２０の一端部がフランジ部３２に当接するように、第二の管２０をグリップ部１４側から第一の管１０の外周に装着することで、第二の管２０の一端部と本体部３１外側及びフランジ部３２の他面が接着剤７０を介して固定される。
【００５７】
次に、第二固定部材４０の開口内側及び挿入部４２の外側に接着剤７０を塗布する。この第二固定部材４０を、グリップ１４側から第一の管１０の外周に装着し、挿入部４２を第一の管１０と第二の管２０の間に挿入する。圧力を掛けながら挿入することで、第二固定部材４０の凸部４３が、第一の管１０の係止窪み１５に嵌合し、第二固定部材４０が接着剤７０を介して第一の管１０に固定される。但し、第二固定部材４０の固定はこれに限定されず、第二固定部材４０の開口内側にネジを切っておいて、第一の管１０にネジ止めしてもよい。接着剤とネジ止めを併用してもよい。
【００５８】
最後に、第一の管１０のグリップ部１４の内側にネジを切って、予め金属等で別個に形成したグリップエンド８０をネジ止めする。接着剤を併用してもよいし、他の方法を用いてもよい。
【００５９】
以上の工程により、本発明の実施形態１に係る野球用又はソフトボール用バット１が製造される。ここで、第二の管２０の一端は第一固定部材３０の本体部３１に固定され、第二の管２０の他端は第二固定部材４０の挿入部４２に固定されるため、第一の管１０と第二の管２０との間に所望の高さを有する隙間６０が形成される。隙間６０は、ボールを打撃した際に第二の管２０が内部側に撓んで、打撃エネルギーがボールの変形エネルギーとして消費されることを抑制する役割を果たすための空間である。この隙間６０の高さは、本体部３１及び挿入部４２の所定の高さ（言い換えれば、所定の径。）によって調整することができる。本実施形態においては、隙間６０の間隔は、第一の管１０及び第二の管２０の材質等に応じて、例えば約０．１ｍｍ〜３．０ｍｍの間で設定されるが、好適には、０．３ｍｍ〜０．５ｍｍに設定される。
【００６０】
［二重層バットの効果］
以上のような構造を有する本発明の実施形態１に係る野球用またはソフトボール用バット１は、第一の管１０と、第二の管２０との間に所望の高さの隙間６０を有する。そして、第二の管２０が複合多層構造であり、多層の表面層が主として第一の管１０より反発特性に優れる金属で形成される。従って、ボールを打撃した際に、主に第二の管２０が内側に撓んで、打撃エネルギーがボールの変形エネルギーとして消費されることを抑制し、且つ第二の管２０自体が反発特性に優れるため、ボールの飛距離を伸ばすことができる。なお、第二の管２０が複合多層構造であるため、本実施形態１に係るバットは、扁平の撓み剛性を低く設計することができ、この点でも反発特性が向上する。
【００６１】
第二に、上述したように、本発明の実施形態１に係る野球用またはソフトボール用バット１は、第一の管１０が剛性に優れ且つ軽量であるＦＲＰによって形成されているため、バット全体を軽量化することができる。従って、子供用及び女子用のバットとした場合に、打者のスウィング・スピードを向上させることができる。本実施形態１に係るバットは、軽量であるため、隙間を有する二重構造に起因するバット自体の反発特性と相俟ってボールの飛距離を格段に伸ばすことができる。また、本実施形態１に係るバットは、複合多層構造の第二の管２０の外層及び内層の材質等を適宜選択することで、野球用又はソフトボール用バット１全体の重量をきめ細かく調整することができる。従って、成人男性用のバットとした場合でも、重量に対する使用者の要求にきめ細かく対応することができ、オーダーメードバットの製造も可能である。
【００６２】
第三に、本実施形態１に係るバットは、上述したようにＦＲＰから成る第一の管１０と、外層と内層との複合多層構造の第二の管２０との二重層バットであるため、単層構造のバットに比して制振効果が向上し、打感が非常に向上する。ボールを打った際に、例えばミスヒットした場合などに打者の手が痺れることがあるが、本バットはこのような打者の手の痺れ等を軽減できる。これは、直接ボールと接する第二の管２０が外嵌式であり、且つ第二の管２０自体が複数の層を圧入又は接着した複合多層構造であるため、せん断現象により制振効果が発揮されグリップ部１４の振動が低減されることによる。また、第二の管２０の外層を木材で形成した場合には、特に打感が向上する。
【００６３】
第四に、本発明に係る野球用又はソフトボール用バットは、先端部１１までＦＲＰで一体形成されており、バット先端部の剛性が高い。例えば、文献２に記載のバットに比してより剛性が高い。従って、バット先端側で打撃しても打球が飛ぶバットといえる。さらに、前述のようにバット先端側までＦＲＰで形成されるため、第五に、バットの耐久性が向上する。
【００６４】
上述したようにキャップ５０は、圧入によって第一の管先端部１１に挿入するため装着が容易である。従って、第六に、本発明の実施形態１に係る野球用またはソフトボール用バット１は、作業工程の短縮を図ることができる。また、部材を嵌合するために複雑な加工を施す必要がなく、先端部１１の加工に厳しい加工精度が要求されない。従って、部材コストを抑制することができ、ひいては製品コストを抑制できる。
【００６５】
第七に、本発明の実施形態１に係る野球用またはソフトボール用バット１は、安全性が向上する。上述したように、本発明に係るバットは、第一の管１０のストッパ部１６で第二の管２０を係止する。従って、二つの管の内径及び外径を調整することで確実に係止できる。このため樹脂製のキャップ５０が破損しても、第一の管１０自体が破損しない限り第二の管２０が外れて飛び出すことはなく、安全性が向上するのである。
【００６６】
第八に、本発明の実施形態１に係る野球用またはソフトボール用バット１は、ライフサイクルが格段に長い。本発明の第１の実施形態に係るバットは二重層構造としているが、第二の管２０が第一固定部材３０及び第二固定部材４０を介して接着剤７０で接着され、又、第二固定部材４０が第一の管１０に接着又はネジ止め及び接着にて固定されているため、ボールを打撃して痛みやすい第二の管２０のみを、簡単に交換することができる。一般的な金属の二重層構造のバットにおいては、外管（又は内管）がスウェージング加工によってバット本体に係止されているため、外管（又は内管）が破損しても交換することができなかった。本実施形態１に係るバットは、第二の管２０を交換することでライフサイクルが格段に長くなる。更に、本実施形態１に係るバットは、第二の管２０を内層と外層の複合多層構造としているため経年変化による影響が非常に少なく、ウレタン層を有する二重層バットに比して耐久性に優れる。
【００６７】
（実施例１）
本発明の実施形態１に係る野球用又はソフトボール用バット１の他の実施例について説明する。上述したように、本発明の実施形態１に係る野球用又はソフトボール用バット１は、キャップを有する。しかし、バット先端を第一の管１０で全て形成できれば、より先端部１１の剛性が高まる。本実施例１は、バット先端を第一の管１０で形成した例である。
【００６８】
図を基に説明する。図５は、本発明の実施形態１の実施例１に係る野球用又はソフトボール用バット１の先端部１１の長手方向の拡大断面図である。図５に示すように、本実施例１においては、第一の管１０は、ストッパ部１６を有し、第二の管２０との間に隙間６０が形成される。この点は、上述した本発明の実施形態１に係る野球用又はソフトボール用バット１と同様である。
【００６９】
本実施例１のバットにおいては、ストッパ部１６から、第一の管１０の先端（即ち、バットの先端。）までもが、第一の管１０で形成される。本実施例１の野球用又はソフトボール用バットの形成方法は、基本的に上述した実施形態１に係る野球用又はソフトボール用バットの製造方法と同様である。相違点は、マンドレルを外し、内圧を掛けるためにプリプレグ内にナイロンチューブを通す場合に、別個にＦＲＰプリプレグで作製した蓋を先端部にセットする点だけである。後の内圧を掛けながら加熱成形する工程は同一である。
【００７０】
かかる構造を有する本実施例１に係る野球用又はソフトボール用バット１は、先端部１１までもがＦＲＰで一体形成されるため、先端部１１の剛性が一層高まる。また、先端部１１まで一体成形されたＦＲＰ製であるため、耐久性がさらに向上する。更に、キャップを圧入する工程を省略できるため、作業時間の短縮を図ることができる。隙間６０を有する二重層構造により飛距離をアップできる点、バット全体を軽量化できる点、制振効果が向上し手の痺れが低減される点及び安全性が向上する点及びライフサイクルが格段に長くハイブリット型バットに比して耐久性が向上する点は、上述した実施形態１と同様である。
【００７１】
（実施例２）
本発明の実施形態１に係る野球用又はソフトボール用バット１のさらに別の実施例について説明する。上述した本発明の実施形態１に係る野球用又はソフトボール用バットは、第一の管テーパー部１３近傍における第二の管２０の係止を、第二固定部材４０を用いて接着剤７０を介して行うか、又はネジ止め及び接着によって行う。本発明の実施形態１に係る野球用又はソフトボール用バットの実施例２は、この第二固定部材４０の第一の管１０への固定を、簡易にした例である。図を基に説明する。図６は、本発明の実施形態１の実施例２に係る野球用又はソフトボール用バット１の打球部１２及びテーパー部１３の長手方向の拡大断面図である。
【００７２】
図６に示すように、本実施例２に係る第二固定部材４０は、基部４１、挿入部４２のみを有する。一方、第一の管１０には、係止窪み１５が形成されない。また、第二固定部材４０をネジ止めする場合には、上述した実施形態１と同様に、第二固定部材４０に第一ネジ部を設け、第一の管１０に第二ネジ部を設ける。
【００７３】
本実施例２に係る野球用又はソフトボール用バット１の第二の管２０の固定は、接着剤７０のみによって行われる。一般に打撃の際には遠心力が働くため、形成された二重層バットの第二の管２０には、バット先端部１１側へ移動しようとする力が働くことになる。従って、第二の管２０のバット先端部１１側における係止は非常に重要となるが、一方、グリップ部１４側にはかかる遠心力が働かない。このため、グリップ部１４側における係止は、先端部１１側における係止に比して強固性が要求されない。従って、接着剤７０による係止又はネジ止め及び接着による係止でも、充分に要求される係止の強個性が充たされる。
【００７４】
本実施例２に係るバットは、第一の管１０の係止窪み１５及び第二固定部材４０の凸部４３を形成する必要が無いため、嵌合させるための位置決め等の細かな設計をする必要がない。また、第二の管２０が破損等した場合に、接着剤７０を除去するだけで、またはネジ止めされた第二固定部材４０を取り外すだけで、簡易に第二の管２０を取り外して交換することができるため、メンテナンスが容易である。隙間６０を有する二重層構造により飛距離をアップできる点、バット全体を軽量化できる点、制振効果が向上し手の痺れが低減される点、バット先端部の剛性がアップし耐久性が向上する点、安全性が向上する点、及びライフサイクルが格段に長くハイブリット型バットに比して耐久性が向上する点は、上述した実施形態１と同様であるので、説明は省略する。
【００７５】
なお、本実施例２は、実施例１に示したバットに応用することもできる。その場合の効果は、上述した効果と同様である。
【００７６】
（実施例３）
本発明の実施形態１に係る野球用又はソフトボール用バット１のさらにまた別の実施例について説明する。上述したように、本発明の実施形態１に係る野球用又はソフトボール用バット１は、第一の管１０と第二の管２０との間に隙間６０を形成するために、第一固定部材３０及び第二固定部材４０を使用する。ここで、第一の管１０の打球部１２のバット先端部１１側が、所定の径だけ拡径されていれば、第一固定部材３０を省略して接着剤７０のみで固定しても、所望の高さの隙間６０を形成することができる。本実施例３に係るバットは、第一固定部材３０を省略する実施例である。図を基に説明する。図７及び図８は、本発明の実施形態１の実施例３に係る野球用又はソフトボール用バット１の、先端部１１の長手方法の拡大断面図である。図７は、キャップ５０を有するバットを示し、図８は、キャップを有しないバットを示す。
【００７７】
図７に示すように、本実施例３のバットの第一の管１０は、打球部１２のバット先端部１１側の所定の位置から先端部１１側に向かって、外径が次第に逓増するように形成され、所定の外径まで拡径された第１の箇所からストッパ部１６まで拡径された所定の径で延伸されている。この延伸された所定の径の部分をステップ部１７という。また、ステップ部１７と打球部１２との間の外径が次第に逓増する箇所を、接続部１８という。なお、更にストッパ部１６及びカール部１９が形成されるが、この点は上述した実施形態１、実施例１及び実施例２と同様である。
【００７８】
ここで、ステップ部１７の外径は、ステップ部１７に接着剤７０を介して第二の管２０を固定した場合に、第一の管１０と第二の管２０との間に所望の高さの隙間６０が形成されるように設定される。即ち、上述した実施形態１、実施例１及び実施例２の第一固定部材３０の本体部３１の高さに相当するように、第二の管２０の外径が拡開される。従って、所望の高さを有する隙間６０を形成するために用いる第一固定部材３０が、不要となる。
【００７９】
かかる構造を有する本実施例３に係る野球用又はソフトボール用バット１は、第二の管２０を第一の管１０に固定する場合、このステップ部１７及びストッパ部１６に接着剤７０を塗布した後、第二の管２０を第一の管１０の外周に装着するだけで済む。従って、第一の管１０に予め第一固定部材３０を接着する作業が省略でき、この点においても作業時間を短縮することができる。従って、製品コストをさらに削減することが可能となる。また、隙間６０を有する二重層構造により飛距離をアップできる点、バット全体を軽量化できる点、制振効果が向上し手の痺れが低減される点、バット先端部の剛性がアップし耐久性が向上する点、安全性が向上する点、及びライフサイクルが格段に長くハイブリット型バットに比して耐久性が向上する点は、上述した実施形態１と同様であるので、説明は省略する。
【００８０】
なお、本実施例３は、実施例１で示したバットにも応用することが可能であり、図８にその例を示す。製造工程等は、上述した工程と同様であるので説明は省略する。また、効果も同様である。そして、さらに図７及び図８で示した本実施例３のバットの第二固定部４０を、実施例２で示した凸部４３を有しないものとし、接着剤７０のみで固定することも可能である。その場合の製造方法や効果は、実施例２と同様であるので説明を省略する。
【００８１】
［実施形態２］
本発明の実施形態２に係る野球用又はソフトボール用バット１について説明する。上述したように、本発明の実施形態１に係る野球用又はソフトボール用バット１は、隙間６０を有する二重層バットである。肉薄の２つの管を、隙間６０を有するように固定してバットを形成することで、ボールを打撃した場合に肉薄の管が内側に撓み、打撃エネルギーがボールの変形エネルギーとして消費されることを抑制し、ボールの飛距離をアップすることができる。第一の管１０と第二の管２０との間に更に第三の管２５を増やして三重構造とすれば、それぞれの管（１０、２０、２５）の肉厚をさらに薄くすることができ、また、それぞれの管（１０、２０、２５）の撓みのシナジー効果によって、さらに飛距離をアップすることができる。本発明の実施形態２に係る野球用又はソフトボール用バット１は、かかる三重層バットである。図を基に説明する。図９は、本発明の実施形態２に係る野球用又はソフトボール用バット１の長手方向の切欠断面図及び幅方向の線β−β’の断面図及び第二の管２０の部分拡大図である。なお、図９においては、表示の都合上、第二の管２０全体を複合多層構造として表示することができないため、全体図においては一層として表示し、部分拡大図において複合多層構造（図９においては複合２層構造。）を図示している。
【００８２】
図９に示すように、本発明の実施形態２に係る野球用又はソフトボール用バット１は、概略、第一の管１０、第二の管２０、第三の管２５、第一固定部材３０、第二固定部材４０、キャップ５０及びグリップエンド８０から構成される。かかる構成は、最良の実施形態で説明した本発明の実施形態１に係る野球用又はソフトボール用バット１に、第三の管２５が加わった構造であり、構成としては大差ない。しかし、特に、第一固定部材３０及び第二固定部材４０の構造が、三重層バットに対応して変更されているので、この点を中心に説明する。なお、本発明の実施形態１に係る野球用又はソフトボール用バット１と同一の部品については同一の符号を付し、説明を省略する。
【００８３】
本実施形態２に係る野球用又はソフトボール用バット１の第一固定部材３０は、三重層バットの２つの外管（第二の管２０及び第三の管２５。）を係止するために、本体部３１、フランジ部３２に加えて第二本体部３３を有する。また、本バットの第二固定部材４０は、基部４１、挿入部４２、凸部４３に加えて第二挿入部４４を有する。本体部３１と挿入部４２は、所定の第１の高さを有し、第二本体部３３及び第二挿入部４４は、所定の第２の高さを有する。
【００８４】
ここで、第２の高さは、第一の管１０と第三の管２５との間に形成される第二の隙間６２の高さに概略相当する高さである。また、第１の高さは、第一の管１０の外側から第三の管２５の外側までの高さに、第三の管２５と第二の管２０との間に形成される第一の隙間６１の高さを加えた高さに概略相当する高さである。なお、概略相当する高さとしているのは、それぞれの管（１０、２０、２５）と第一固定部材３０又は第二固定部材４０との間に介在する接着剤７０が固化した場合の高さを考慮したものである。なお、第一の隙間６１及び第二の隙間６２の高さは、第一の管１０、第二の管２０、第三の管２５の材質に応じて適宜設定される。本実施形態２においては、例えば第２の高さは約０．１ｍｍ〜３．０ｍｍの間で設定され、好適には、０．３ｍｍ〜０．５ｍｍに設定される。第一の高さは、第三の管２５の外径より大きく且つ６．０ｍｍ以内に設定され、好適には０．６ｍｍ〜１．０ｍｍ程度に設定される。
【００８５】
本実施形態２に係る三重層バットの、第一の管１０は、上述した実施形態１と同様にＦＲＰで形成される。ＦＲＰとしては、Ｃ−ＦＲＰ、Ｂ−ＦＲＰ、Ｋ−ＦＲＰ等適宜選択可能であるが、好適にはＣ−ＦＲＰを用いる。第一の管１０の形成方法は、上述した本発明の実施形態１と同様であるので説明は省略する。
【００８６】
第二の管２０は、上述した実施形態１と同様に、内層と外層との複合多層構造の両端が開口した円筒形の管である。内層及び外層の材質は、上述した実施形態１と同様であるので、説明を省略する。内層及び外層はそれぞれ別個に形成され、圧入加工によって、又は接着剤７０を介して接合されて、複合多層構造とされる。なお、内層、外層を金属で形成した場合は、形成後に熱処理を施して応力を開放して用いる。内層及び外層の肉厚は、本バットが第三の管２５を有する三重層構造であるため、本発明の実施形態１に係るバットの第二の管２０よりも薄く設定され、第二の管２０、第三の管２５及び第一の管１０の３つの管で必要な強度及び剛性を確保できる範囲内で、使用する材質に応じて設定される。
【００８７】
第三の管２５は両端が開口した円筒状の管であり、ボールを打撃する際に、第二の管２０とともに内側に撓んで、打撃エネルギーがボールの変形エネルギーとして消費されることを抑制する役割を果す。第三の管２５は、ＦＲＰで形成しても良いし、金属で形成しても良い。ＦＲＰとしては、Ｃ−ＦＲＰ、Ｂ−ＦＲＰ、Ｋ−ＦＲＰ等を用いる。金属としては、アルミニウム、アルミニウム合金、アルミニウム−スカンジスム合金、スカンジウム合金、チタン、チタニウム合金、マグネシウム合金又は合金鋼を用いる。子供用バット又は女子用バット等の軽量であることが求められるバットの場合には、バット全体の軽量化のために、Ｃ−ＦＲＰを好適に用いる。
【００８８】
本バットは、三重層構造であるため、バット全体で所定の強度及び剛性を確保すればよく、３つの管の肉厚は、それぞれ二重層バットよりも薄く設定される。又、これによって、バット全体の重量が抑制される。
【００８９】
本実施形態２に係る野球用又はソフトボール用バット１は、上述したように、三重構造にすることによって、それぞれの管（１０、２０、２５）の肉厚をさらに薄くすることができ、また、それぞれの管の撓みのシナジー効果によって、さらに飛距離をアップすることができる。また、バット先端部の剛性がアップし耐久性が向上する点、バット全体を軽量化できる点、制振効果が向上し手の痺れが低減される点、安全性が向上する点、及びライフサイクルが格段に長くハイブリット型バットに比して耐久性が向上する点は、上述した実施形態１と同様である。
【００９０】
なお、本実施形態２に係る野球用又はソフトボール用バット１についても、上述した実施形態１に係るバットの実施例１、実施例２及び実施例３で示した変形実施が可能である。バットの先端部１１を第一の管１０で形成してキャップ５０を省略しても良い。又、凸部４３を省略して、第二固定部材４０を簡易に固定しても良い。更に、第一の管１０に第１ステップ部１７ａ、第２ステップ部１７ｂ、第１接続部１８ａ及び第２接続部１８ｂを形成することで、第一固定部材３０を省略することもできる。なお、このような二つのステップ部（１７ａ、１７ｂ）及び二つの接続部（１８ａ、１８ｂ）を形成するが、これらの形成は、金型の変更によって達成できるため、製造工程が増える等の影響を与えることがない。また、それぞれの効果も、上述した実施形態１に係る野球用又はソフトボール用バットの変形実施例と同様である。
【００９１】
［実施形態３］
本発明の実施形態３に係る野球用又はソフトボール用バット１について説明する。上述した本発明の実施形態１に係るバットは、複合多層構造の第二の管２０の外層の材質を、反発特性に優れる例えばチタン又はチタニウム合金としてボールの飛距離をアップするように形成している。しかし、このチタン又はチタニウム合金は価格が高く、第二の管２０の外層全体をチタン又はチタニウム合金で形成すると、製品コストに跳ね返る。そこで、第二の管２０の外層を複数の部分から構成し、打撃の中心になるスウィート・スポット部分だけにチタン又はチタニウム合金を使用できれば、製品コスト上昇を抑制できる。本実施形態３に係る野球用又はソフトボール用バット１は、複合多層構造の第二の管２０の外層を、複数の部分から構成した二重層バットである。図を基に説明する。図１０は、本発明の実施形態３に係る野球用又はソフトボール用バット１の、長手方向表面図及び長手方向切欠断面図である。
【００９２】
図１０に示すように、本実施形態３に係る野球用又はソフトボール用バット１は、概略、第一の管１０、第二の管２０、第一固定部材３０、第二固定部材４０、キャップ５０及びグリップエンド８０から構成される。そして、複合多層構造の第二の管２０の外層が、複数の部分（図１０においては、一例として３つの部分の場合を示している。）から構成される。第二の管２０の内層は、上述した実施形態１等と同様に、金属又はＦＲＰで形成された１つの管である。第二の管２０は、１つの管である内層の外周に、複数の外層がそれぞれ装着されて接着剤７０を介して固定され、一つの第二の管２０として形成される。又は、それぞれが相互に長手方向で接着された複数の外層に、内層を圧入して形成される。図１０においては、一体化された第二の管２０の各部を、異なる外層に対応してそれぞれ第二の管の第１部分２０ａ、第二の管の第２部分２０ｂ、第二の管の第３部分２０ｃという。第一の管１０、第一固定部材３０、第二固定部材４０、キャップ５０及びグリップエンド８０については、上述した本発明の実施形態１に係る野球用又はソフトボール用バット１と同様であるので、同じ部分には同じ符号を付し、説明を省略する。
【００９３】
本実施形態３においては、第二の管の第１部分２０ａ及び第二の管の第３部分２０ｃのそれぞれの外層は、アルミニウム、アルミニウム合金、アルミニウム−スカンジウム合金、スカンジウム合金、合金鋼、ＦＲＰ又は木材等により形成される。加工の容易性及び価格の面からアメリカ・アルミナム協会制定規格に規定されるアルミニウム合金のＡＡ７０５０、ＡＡ７０４６等のＡ７０００系のアルミニウム合金、アルミニウム−スカンジウム合金、スカンジウム合金が好ましい。一方、第二の管の第２部分２０ｂの外層は、打球が最も良く飛ぶいわゆるスウィート・スポットに相当する部分であるため、高コストながら反発特性に優れるチタン又はチタニウム合金によって形成される。第二の管の第２部分２０ｂの外層は、マグネシウム合金を用いて形成されても良い。第二の管２０の複数の外層は、それぞれ両端が開口した円筒形に形成され、それぞれ別個に熱処理されて応力が開放されたうえで使用される。なお、第二の管の第１部分２０ａ又は第二の管の第３部分２０ｃの外層のいずれかを、第二の管の第２部分２０ｂの外層と同じ材質で形成しても良い。結果的に第二の管２０の各部分（２０ａ、２０ｂ、２０ｃ）の少なくとも一つの部分の外層は、他の部分と異なる材質で形成されることになる。また、第二の管の各部分（２０ａ、２０ｂ、２０ｃ）の肉厚は、同一に形成される。
【００９４】
このように、複合多層構造の第二の管２０の外層を、異なる材質から成る部分で構成し、１つの内層に外嵌することにより、第二の管２０は、外側が異なる複数の材質から成る１つの管として形成される。従って、二重層バットとする場合に、第一固定部材３０及び第二固定部材４０で両端部を固定することで、簡単に第一の管１０との間に所望の高さの隙間を形成することができる。特許文献２に、同様の複数の第二の管を有する二重層バットの構造が示されているが、特許文献２に示されたバットは、複数の第二の管の一端又は両端を固定するために別個の固定部材が必要になる。本実施形態３に係るバットは、別個の固定部材を必要としないため、特許文献２に示されたバットに比して製造が容易である。
【００９５】
以上説明したような構造を有する本発明の実施形態３に係る野球用又はソフトボール用バット１は、打球を良く飛ばす部分であるスウィート・スポットの位置にだけに反発特性に優れるチタン又はチタニウム合金の第二の管の第２部分２０ｂを配置することで、高価なチタン又はチタニウム合金を使用しても製品コストの上昇を抑制することができる。また、第二の管の他の部分（２０ａ、２０ｃ）を、合金鋼等の価格の安い金属管で形成することも可能であり、一層製品コストを抑制した二重層バットを提供することができる。
【００９６】
更に、スウィート・スポット部分にだけ、反発特性に優れた第二の管の第２部分２０ｂを配置し、第二の管の他の部分（２０ａ、２０ｃ）は、例えば、アルミニウム合金や合金鋼より反発特性に劣る金属で形成することも可能である。この場合、スウィート・スポットで打撃しなければボールが飛ばないバットとなるが、かかるバットは、バットの芯で打つ技術を習得できる、いわば打撃技術習得用バットとなり、練習用バットとして好適である。
【００９７】
また、二重層構造によりボールの飛距離を伸ばすことができる点、バット先端部の剛性がアップする点、バット全体を軽量化できる点、制振効果が向上し手の痺れが低減される点、作業工程が短縮される点、安全性が向上する点及びライフサイクルが格段に長くハイブリット型バットに比して耐久性が向上する点は、上述した本発明の実施形態１及び実施形態２に係るバットと同様である。なお、上述した本発明の実施形態１及び実施形態２に係るバットと同様に、変形実施が可能であり、先端部１１を第一の管１０で形成してキャップ５０を省略したり、第二固定部材４０の凸部４３を省略して第二固定部材４０を簡易に係止したり、さらに第一の管１０にステップ部１７を形成して第一固定部材３０を省略しても良い。また、それぞれの効果も、上述した実施形態１に係る野球用又はソフトボール用バットの変形実施例と同様である。
【００９８】
［実施形態４］
本発明の実施形態４に係る野球用又はソフトボール用バット１について説明する。上述したように、本発明の実施形態３に係る二重層バットは、第二の管２０の外層を複数の管から構成し、反発特性に優れるチタン又はチタニウム合金からなる第二の管２０ｂを、スウィート・スポットの位置に配置した。本発明の実施形態４に係る野球用又はソフトボール用バット１は、反発特性に優れるチタン又はチタニウム合金からなる第二の管２０をスウィート・スポットの位置に配置する点は同じであるが、この第二の管２０を、１つの外層と１つの内層から構成する点で異なる。即ち、第二の管２０の構成は、実施形態１に係るバットと同様である。図を基に説明する。図１１は、本発明の実施形態４に係る野球用又はソフトボール用バット１の、長手方向表面図及び長手方向断面図を示す図である。
【００９９】
図１１に示すように、本実施形態４に係る野球用又はソフトボール用バット１は、概略、第一の管１０、第二の管２０、第一固定部材３０、第二固定部材４０、キャップ５０及びグリップエンド８０から構成される。特徴的には、第二の管２０の長さが短く、一方、第一の管１０の先端部１１がスウィート・スポットの位置まで延伸され、非常に長く形成されている。これによって、第二の管２０の長さを短くすることができ、且つ第二の管２０をスウィート・スポットの位置のみに配置することができる。なお、キャップ５０は、図１に示した第二固定部５４を有しない。他の部分については、上述した実施形態１に係るバットと同様であるので、同一の部分には同一の符号を付し、説明を省略する。
【０１００】
本実施形態４に係るバットの、第一の管１０の形成方法は、本発明の実施形態１に係る野球用又はソフトボール用バット１と同様であるので、詳細な説明は省略する。但し、マンドレルの形状が異なるので、この点について説明する。本実施形態４に係る野球用又はソフトボール用バット１を形成する際に使用するマンドレルは、バットのカール部１９に相当する箇所から、バットのストッパ部１６に相当する箇所までの距離が、少なくとも所定の距離以上となるように設定されている。この所定の距離は製造されるバットのスウィート・スポットの位置に応じて適宜調整されるが、少なくとも先端側の端部から１００ｍｍ以上に設定される。従って、このマンドレルを使用してＦＲＰプリプレグを巻き付けて形成した第一の管１０は、カール部１９からストッパ部１６までが、同一の外径で延伸された形状となる。その結果、図１１に示すように、実施形態１等に係るバットに比して先端部１１が長く形成される。第一固定部材３０及び第二固定部材４０を使用して第二の管２０を固定する方法等については、上述した実施形態１等と同様である。
【０１０１】
かかる構造を有する本実施形態４に係るバットは、図１１（ｂ）の切欠断面図からも判るように、第二の管２０が、バットのスウィート・スポットの位置にのみ嵌装された構造となる。従って、第二の管２０の外層の材質として、チタン、チタニウム合金等の反発特性に優れる金属を使用すれば、打球を飛ばす部分にのみ反発特性に優れる金属を使用することが可能となり、製品コストの上昇を抑制することができる。
【０１０２】
また、所望の隙間６０を有する二重層構造によりボールの飛距離を伸ばすことができる点、バット先端部の剛性がアップする点、バット全体を軽量化できる点、制振効果が向上し手の痺れが低減される点及び安全性が向上する点及びライフサイクルが格段に長くハイブリット型バットに比して耐久性が向上する点は、上述した本発明の実施形態１、実施形態２及び実施形態３に係るバットと同様である。
【０１０３】
なお、本実施形態に係るバットを、上述した本発明の実施形態１の実施例１及び実施例３と同様に、変形実施することもできる。その場合の効果は、同様である。また、実施形態３で説明したように、第一の管１０を、反発特性がアルミニウム合金又は合金鋼より劣る金属で形成して、打撃技術習得用の練習用バットとすることも可能であり、その場合の効果も、同様である。
【図面の簡単な説明】
【０１０４】
【図１】本発明の実施形態１に係る野球用又はソフトボール用バットの長手方向の切欠断面図及び幅方向の線α−α’の断面図である。
【図２】本発明の実施形態１に係る野球用又はソフトボール用バットの先端部及び打球部の長手方向の拡大断面図である。
【図３】本発明の実施形態１に係る野球用またはソフトボール用バットの打球部及びテーパー部の長手方向の拡大断面図である。
【図４】本発明の実施形態１に係る野球用またはソフトボール用バットの第二の管の内層及び外層に用いる材質を表す図である。
【図５】本発明の実施形態１の実施例１に係る野球用又はソフトボール用バットの先端部の長手方向の拡大断面図である。
【図６】本発明の実施形態１の実施例２に係る野球用又はソフトボール用バットの打球部及びテーパー部の長手方向の拡大断面図である。
【図７】本発明の実施形態１の実施例３に係る野球用又はソフトボール用バットの、先端部の長手方法の拡大断面図である。
【図８】本発明の実施形態１の実施例３に係る野球用又はソフトボール用バットの、先端部の長手方法の拡大断面図である。
【図９】本発明の実施形態２に係る野球用又はソフトボール用バットの長手方向の切欠断面図及び幅方向の線β−β’の断面図及び第二の管の部分拡大図である。
【図１０】本発明の実施形態３に係る野球用又はソフトボール用バットの、長手方向表面部及び長手方向切欠断面図である。
【図１１】本発明の実施形態４に係る野球用又はソフトボール用バットの、長手方向表面図及び長手方向断面図を示す図である。
【符号の説明】
【０１０５】
１：野球用又はソフトボール用バット
１０：第一の管
１１：第一の管先端部
１２：第一の管打球部
１３：第一の管テーパー部
１４：第一の管グリップ部
１５：係止窪み
１６：第一の管ストッパ部
２０：第二の管
２５：第三の管
３０：第一固定部材
４０：第二固定部材
５０：キャップ
６０：隙間
７０：接着剤
８０：グリップエンド
【図１】
2010119462.tif 000003
【図２】
2010119462.tif 000004
【図３】
2010119462.tif 000005
【図４】
2010119462.tif 000006
【図５】
2010119462.tif 000007
【図６】
2010119462.tif 000008
【図７】
2010119462.tif 000009
【図８】
2010119462.tif 000010
【図９】
2010119462.tif 000011
【図１０】
2010119462.tif 000012
【図１１】
2010119462.tif 000013